(57)【要約】【課題】全体の構成をシンプル化かつ小型化し、かつ、低コストで製造できるようにする。【解決手段】分岐部１３０により商用電源電圧の電力を第１の電力及び第２の電力に分岐して供給する。センサ側リレー１５０は、コイル１５１への生体検出制御ユニット１４０の出力側からの制御信号の出力に基づき、接点１５２を駆動して、第２の電力を接点１５２から出力する。電源側リレー１６０は、センサ側リレー１５０の接点１５２と電源制御部１１０との間に電気的に接続されるコイル１６１と、第１の電力線に電気的に接続される接点１６２とを有し、コイル１６１へのセンサ側リレー１５０の接点１５１からの第２の電力の出力に基づき、接点１６２を駆動して、第１の電力を接点１６２から電源制御部１１０に出力する。生体検出制御ユニット１４０は、タイマー１４３を使用して、制御信号の出力時間を所定の処理時間間隔ＰＴに設定する。【選択図】図１
2016019698.tif 000002
【特許請求の範囲】
【請求項１】
所定濃度の殺菌成分を含有する消毒液を充填して貯留自在な貯留部材と、
前記貯留部材に貯留した消毒液と接触する超音波振動子を有し、前記超音波振動子の振動により前記消毒液を霧化して霧化消毒液を生成する霧化部材と、
前記超音波振動子により生成した霧化消毒液に対して送風動作を行う送風部材を有し、前記送風部材の送風動作により前記霧化消毒液を所定の対象空間の空気中に噴霧する送風噴霧部材と、
前記霧化部材の超音波振動子を駆動制御して前記超音波振動子による消毒液の霧化動作を制御すると共に、前記噴霧部材の送風部材を駆動制御して前記送風部材による霧化消毒液の噴霧動作を制御する噴霧制御部と、
前記前記噴霧制御部に対して前記超音波振動子及び前記送風部材の駆動制御用の電力を供給する電源制御部と、
前記対象空間内外の生体を検出する生体検出センサを有し、前記生体検出センサの出力信号に基づき制御信号を出力側から出力する生体検出制御部材と、
商用電源の電源電圧の電力を第１の電力線及び第２の電力線に、それぞれ、第１の電力及び第２の電力として分岐して供給する分岐部と、
前記生体検出制御部材の出力側に電気的に接続される一次側と、前記第２の電力線に電気的に接続される二次側とを有し、前記一次側への前記生体検出制御部材の出力側からの制御信号の出力に基づき、前記二次側を駆動して前記第２の電力線の第２の電力を前記二次側から出力する第１のパワーリレーと、
前記第１のパワーリレーの二次側と前記電源制御部との間に電気的に接続される一次側と、前記第１の電力線に電気的に接続される二次側とを有し、前記一次側への前記第１のパワーリレーの二次側からの第２の電力の出力に基づき、前記二次側を駆動して前記第１の電力線の第１の電力を前記二次側から前記電源制御部に出力する第２のパワーリレーと
を備えることを特徴とする超音波式噴霧型殺菌消臭装置。
【請求項２】
前記生体検出制御部材は、更に、前記制御信号の所定の処理時間間隔だけ継続的に出力するためのタイマーを有し、
前記生体検出制御部材は、前記生体検出センサが前記対象空間内の生体を検出したときに、前記制御信号を前記第１のパワーリレーの一次側に出力して前記第１のパワーリレーを駆動開始すると共に、前記タイマーを介して、前記処理時間間隔だけ前記制御信号を出力することで、前記処理時間間隔だけ前記第１のパワーリレーを駆動し、前記第１のパワーリレーを介して前記第２のパワーリレーを前記処理時間間隔だけ駆動して、前記第２のパワーリレーを介して前記第１の電力線からの第１の電力を前記処理時間間隔だけ前記電源制御部に出力して、前記電源制御部からの前記噴霧制御部への電力供給を前記処理時間隔だけ行うことで、前記噴霧制御部によって前記霧化部材及び前記送風部材を前記処理時間間隔だけ駆動するよう制御することを特徴とする請求項１記載の超音波式噴霧型殺菌消臭装置。
【請求項３】
前記生体検出制御部材は、前記生体検出センサが前記対象空間内の生体を検出していない生体非検出時にのみ、前記制御信号を前記第１のパワーリレーの一次側に出力して前記第１のパワーリレーを駆動し、前記第１のパワーリレーを介して前記第２のパワーリレーを駆動して、前記第２のパワーリレーを介して前記第１の電力線からの第１の電力を前記電源制御部に出力して、前記電源制御部からの前記噴霧制御部への電力供給を行うことで、前記噴霧制御部によって前記霧化部材及び前記送風部材を駆動するよう制御することを特徴とする請求項１記載の超音波式噴霧型殺菌消臭装置。
【請求項４】
前記生体検出制御部材は、更に、前記制御信号の所定の処理時間間隔だけ継続的に出力するためのタイマーを有し、
前記生体検出制御部材は、前記生体検出センサが前記対象空間内の生体を検出していない生体非検出時にのみ、前記制御信号を前記第１のパワーリレーの一次側に出力して前記第１のパワーリレーを駆動開始すると共に、前記タイマーを介して、前記処理時間間隔だけ前記制御信号を出力することで、前記処理時間間隔だけ前記第１のパワーリレーを駆動し、前記第１のパワーリレーを介して前記第２のパワーリレーを前記処理時間間隔だけ駆動して、前記第２のパワーリレーを介して前記第１の電力線からの第１の電力を前記処理時間間隔だけ前記電源制御部に出力して、前記電源制御部からの前記噴霧制御部への電力供給を前記処理時間隔だけ行うことで、前記噴霧制御部によって前記霧化部材及び前記送風部材を前記処理時間間隔だけ駆動するよう制御することを特徴とする請求項１記載の超音波式噴霧型殺菌消臭装置。
【請求項５】
前記生体検出制御部材は、更に、前記制御信号の所定の処理時間間隔だけ継続的に出力するためのタイマーを有し、
前記生体検出制御部材は、第１の霧化噴霧制御モードと、第２の霧化噴霧制御モードと、第３の霧化噴霧制御モードとを選択的に切り替えて制御自在であり、
前記生体検出制御部材は、前記第１の霧化噴霧制御モードでは、前記生体検出センサからのが前記対象空間内の生体を検出したときに、前記制御信号を前記第１のパワーリレーの一次側に出力して前記第１のパワーリレーを駆動開始すると共に、前記タイマーを介して、前記処理時間間隔だけ前記制御信号を出力することで、前記処理時間間隔だけ前記第１のパワーリレーを駆動し、前記第１のパワーリレーを介して前記第２のパワーリレーを前記処理時間間隔だけ駆動して、前記第２のパワーリレーを介して前記第１の電力線からの第１の電力を前記処理時間間隔だけ前記電源制御部に出力して、前記電源制御部からの前記噴霧制御部への電力供給を前記処理時間隔だけ行うことで、前記噴霧制御部によって前記霧化部材及び前記送風部材を前記処理時間間隔だけ駆動するよう制御し、
前記生体検出制御部材は、前記第２の霧化噴霧制御モードでは、前記第１の霧化噴霧制御モードでは、前記生体検出センサの出力を無効化して、前記制御信号を間欠的に前記第１のパワーリレーの一次側に出力して前記第１のパワーリレーを間欠的に駆動することで、前記第１のパワーリレーを介して前記第２のパワーリレーを間欠的に駆動して、前記第２のパワーリレーを介して前記第１の電力線からの第１の電力を前記電源制御部に間欠的に出力して、前記電源制御部からの前記噴霧制御部への電力供給を間欠的に行うことで、前記噴霧制御部によって前記霧化部材及び前記送風部材を間欠的に駆動するよう制御し、
前記生体検出制御部材は、前記第３の霧化噴霧制御モードでは、前記生体検出センサが前記対象空間内の生体を検出していない生体非検出時にのみ、前記制御信号を前記第１のパワーリレーの一次側に出力して前記第１のパワーリレーを駆動開始すると共に、前記タイマーを介して、前記処理時間間隔だけ前記制御信号を出力することで、前記処理時間間隔だけ前記第１のパワーリレーを駆動し、前記第１のパワーリレーを介して前記第２のパワーリレーを前記処理時間間隔だけ駆動して、前記第２のパワーリレーを介して前記第１の電力線からの第１の電力を前記処理時間間隔だけ前記電源制御部に出力して、前記電源制御部からの前記噴霧制御部への電力供給を前記処理時間隔だけ行うことで、前記噴霧制御部によって前記霧化部材及び前記送風部材を前記処理時間間隔だけ駆動するよう制御することを特徴とする請求項１記載の超音波式噴霧型殺菌消臭装置。
【発明の詳細な説明】
【技術分野】
【０００１】
本発明は、消毒成分又は殺菌成分を含有する消毒液又は殺菌液を超音波振動子により霧化して大気中に噴霧することにより大気中の殺菌や消臭等を行う超音波式噴霧型殺菌消臭装置に関する。
【背景技術】
【０００２】
近年、飲食店、医療施設、介護施設等、衛生に特に注意を要する施設では、外部からの雑菌等の招来を防止するため、衛生管理方法の一つとして、少なくとも施設の特定スペース（例えば、化粧室、待合室等）において、室内の大気中に消毒液を噴霧して散布することにより、その室内の大気中の雑菌を殺菌して消毒することで、大気中の衛生管理を行うことが慣用的に行われている。しかし、この作業者の手作業による消毒液散布は、作業者が、手作業により行うものであるため、人件費高騰の一因となり、また、消毒液の噴霧作業も、作業者が適当な時間帯に適当な量の消毒液を散布することは一般的であるため、大気中の雑菌等を確実に殺菌できているかが不明である。また、施設の来場者の（或いは、ペット等の動物の）室内への入退室に伴い、室外の雑菌が室内に進入したり、来場者自身（或いは、ペット等の動物）に付着した雑菌が室内に放散されたりする可能性もあるため、作業者の手作業による消毒液散布は、室内の大気中の衛生管理方法としては大きく改善する余地があり、より確実な方法で大気中の衛生管理を行うことが望ましい。ここで、このような作業者の手作業による消毒液散布に代えて、機械により自動的に大気中の雑菌を消毒する装置として、例えば、特許文献１に記載の脱臭・殺菌・徐菌・防カビ装置が提案されている。
【０００３】
即ち、特許文献１には、装置の一部を取り外すことができて掃除やメンテナンスが容易で、従来の水道直結タイプのものに比べて持ち運びも容易で噴霧場所を自由に選択できる脱臭・殺菌・徐菌・防カビ装置が開示されている。この脱臭・殺菌・徐菌・防カビ装置は、電解槽と、殺菌液溜め部と、霧化手段とを備え、電解槽により、臭、菌、カビの成分を殺菌あるいは分解する殺菌液を電気分解により生成して、電解槽で生成された殺菌液を殺菌液溜め部に溜め、殺菌液溜め部から供給される殺菌液を霧化手段による霧化するようにし、また、装置本体に対して電解槽を備えた電解タンクを着脱自在としている。（特許文献１の要約参照。）
【先行技術文献】
【特許文献】
【０００４】
【特許文献１】特開２００２−９５７２８号公報
【発明の概要】
【発明が解決しようとする課題】
【０００５】
しかし、特許文献１に記載の脱臭・殺菌・徐菌・防カビ装置は、殺菌液を電気分解により生成する電解槽を備える構成のため、電解槽自体により全体の構成が大型化かつ複雑化し、また、電解槽において電気分解を行うための電気的構成（電解作用発生のための電極、電極制御用の制御部等）も必要となるため、装置全体の製造コストが増大する可能性が大きい。しかし、上記した飲食店や介護施設等の施設の運営者が小規模事業者の場合は、衛生管理のためとはいえ、大気消毒の必要性のある各室に高額な大気消毒のための装置（以下、「大気消毒装置」という。）を導入することには、そのコストの総額が相応の金額になることから躊躇することが予想される。また、大気消毒装置は、室内の（施設従業員の作業等、或いは、来場者の通行等の）邪魔にならない場所であって、かつ、大気消毒装置の近辺を通行する来場者等に噴霧した消毒液が直接付着しないような場所に設置する必要があるが、大気消毒装置が大型化する場合、そのような大型の大気消毒装置の設置スペースを確保することが困難な場合も考えられる。更に、一般に、電気的構成及び機械的構成も含め、複雑な構成の装置はシンプルな構成の装置に比較して故障等の割合が大きくなる傾向があるため、複雑な構成の大気消毒装置の場合、故障時の修理等の保守対応（及び保守費用）という面でも、やはり、改善する余地がある。
【０００６】
そこで、本発明は、全体の構成をシンプル化かつ小型化し、かつ、低コストで製造できるようにすることにより、運営者が小規模事業者である施設においても導入しやすく、かつ、設置場所のスペース確保も容易とし、更に、保守費用を含めた保守対応も簡単に行うことができること一方で、殺菌消臭対象となる空間（以下、「対象空間」という。）内への人や動物の進入及び／又は退出を検出して、その対象空間内の大気の殺菌及び消臭に最適な形態で殺菌消毒液の噴霧を行うことができる超音波式噴霧型大気殺菌消臭装置の提供を課題とする。
【課題を解決するための手段】
【０００７】
本発明に係る超音波式噴霧型大気殺菌消臭装置は、貯留部材、霧化部材、送風噴霧部材、噴霧制御部、電源制御部、生体検出制御部材、分岐部、第１のパワーリレー、及び、第２のパワーリレーを備える。貯留部材は、所定濃度の殺菌成分を含有する消毒液を充填して貯留自在である。霧化部材は、前記貯留部材に貯留した消毒液と接触する超音波振動子を有し、前記超音波振動子の振動により前記消毒液を霧化して霧化消毒液を生成する（即ち、霧化消毒液を生成する。送風噴霧部材は、前記超音波振動子により生成した霧化消毒液に対して送風動作を行う送風部材を有し、前記送風部材の送風動作により前記霧化消毒液を所定の対象空間の空気中に噴霧する。噴霧制御部は、前記霧化部材の超音波振動子を駆動制御して前記超音波振動子による消毒液の霧化動作を制御すると共に、前記噴霧部材の送風部材を駆動制御して前記送風部材による霧化消毒液の噴霧動作を制御する。電源制御部は、前記前記噴霧制御部に対して前記超音波振動子及び前記送風部材の駆動制御用の（所定電圧の）電力を供給する。（これにより、噴霧制御部が、霧化部材及び前記噴霧部材に、それぞれ、所定の駆動用の電力を供給する制御を行う。）生体検出制御部材は、（典型的には人感センサからなる）生体検出センサを有し、（例えば、生体検出センサを前記霧化制御部に制御的に又は電気的に接続して）生体検出センサにより前記対象空間内外の生体を検出する（典型的には、人又は動物等の生体の進入及び／又は退出を検出する）。また、生体検出制御部材は、前記生体検出センサの出力信号（生体検出時のセンサオン信号、又は、非検出時のセンサオン信号等）に基づき制御信号を出力側（例えば、センサ側制御部の基盤の所定の出力端子）から出力する。分岐部は、商用電源の電源電圧の電力を（変圧等することなくそのままの電力として直接的に）第１の電力線及び第２の電力線に、それぞれ、第１の電力及び第２の電力として分岐して供給する。第１のパワーリレーは、前記生体検出制御部材の出力側に電気的に接続される一次側（例えば、一次側のコイル）と、前記第２の電力線に電気的に接続される二次側（例えば、二次側のａ接点）とを有し、前記一次側への前記生体検出制御部材の出力側からの制御信号の出力に基づき、前記二次側を駆動して前記第２の電力線の第２の電力を前記二次側から出力する。第２のパワーリレーは、前記第１のパワーリレーの二次側と前記電源制御部との間に電気的に接続される一次側（例えば、一次側のコイル）と、前記第１の電力線に電気的に接続される二次側（例えば、二次側のａ接点）とを有し、前記一次側への前記第１のパワーリレーの二次側からの第２の電力の出力に基づき、前記二次側を駆動して前記第１の電力線の第１の電力を前記二次側から前記電源制御部に出力する。
【発明の効果】
【０００８】
本発明に係る超音波式噴霧型大気殺菌消臭装置は、上記のように構成したため、全体の構成をシンプル化かつ小型化し、かつ、低コストで製造できるようにすることにより、運営者が小規模事業者である施設においても導入しやすく、かつ、設置場所のスペース確保も容易とし、更に、保守費用を含めた保守対応も簡単に行うことができること一方で、殺菌消臭対象となる空間（以下、「対象空間」という。）内への人や動物の進入及び／又は退出を検出して、その対象空間内の大気の殺菌及び消臭に最適な形態で殺菌消毒液の噴霧を行うことができる。
【図面の簡単な説明】
【０００９】
【図１】図１は本発明の実施の形態１に係る超音波式噴霧型殺菌消臭装置の外観を示す正面図である。
【図２】図２は本発明の実施の形態１に係る超音波式噴霧型殺菌消臭装置のベース部材を（タンク部材等の関連部材を取り外した状態で）上面側から見て示す平面図である。
【図３】図３は本発明の実施の形態１に係る超音波式噴霧型殺菌消臭装置の内部構成を正面側から見て示すための断面図であり、ベース部材内部の制御システムを機能ブロックにより概略的に示す。
【図４】図４は本発明の実施の形態１に係る超音波式噴霧型殺菌消臭装置の制御系を機能ブロックにより概略的に示す説明図である。
【図５】図５は本発明の実施の形態１に係る超音波式噴霧型殺菌消臭装置の制御系による噴霧制御における各機能要素の動作タイミングの関係を示すタイミングチャートである。
【図６】図６は本発明の実施の形態２に係る超音波式噴霧型殺菌消臭装置の制御系を機能ブロックにより概略的に示す説明図である。
【図７】図７は本発明の実施の形態３に係る超音波式噴霧型殺菌消臭装置の制御系を機能ブロックにより概略的に示す説明図である。
【図８】図８は本発明の実施の形態３に係る超音波式噴霧型殺菌消臭装置の制御系による噴霧制御における各機能要素の動作タイミングの関係を示すタイミングチャートである。
【図９】図９は本発明（実施の形態１を含む各実施の形態）に係る超音波式噴霧型殺菌消臭装置において噴霧制御時の噴霧態様と対象空間の容積との関係を説明するための説明図であり、図９（ａ）は対象空間及び対象空間内に設置された超音波式噴霧型殺菌消臭装置を斜視的に示し、図９（ｂ）は噴霧制御時の噴霧継続時間（制御用設定時間）と対象空間の容積との関係を示すグラフである。
【発明を実施するための形態】
【００１０】
以下、本発明を実施するための形態（以下、実施の形態という）を説明する。なお、各実施の形態を通じ、同一の部材、要素または部分には同一の符号を付して、その説明を省略する。
【００１１】
［実施の形態１］
図１、図２及び図３に示すように、本発明の実施の形態１に係る超音波式噴霧型殺菌消臭装置は、まず、超音波により消毒液を霧化して噴出するための機械的（又は機構的）構成として、ベース部材１０、タンク部材２０、導入部材３０、導出部材４０、水位センサ５０、送風部材６０、噴霧部材７０、超音波噴霧生成ユニット８０、及び、操作部材９０を備えている。以下、これら各部材１０〜９０の構成について個別に詳細に説明する。
【００１２】
＜ベース部材＞
ベース部材１０は、後述する制御系（制御システム）等を内蔵する筐体（ケーシング又はハウジング）を構成し、図１に示すように、四方を包囲する周壁１１と、図２に示すように、周壁１１の上端から内方に突出すると共に、周壁１１の上端周縁に沿って延設された支持壁１２とを備えている。ベース部材１０において、支持壁１２の内側には、給液側凹部壁１３及び噴霧側凹部壁１４が、段差部１５を介して隣接するよう配設されている。給液側凹部壁１３の上面は、前記支持壁１２の内端面と共に給液側凹部１３ａを形成し、噴霧側凹部壁１４の上面は、前記支持壁１２の内端面と共に噴霧側凹部１４ａを形成する。また、給液側凹部壁１３は、噴霧側凹部壁１４よりも段差部１５の高さ分だけ高い高さ位置において水平方向に延びている（即ち、噴霧側凹部壁１４は、給液側凹部壁１３よりも段差部１５の高さ分だけ低い高さ位置において水平方向に延びている。）なお、給液側凹部壁１３は、前端部に、噴霧側凹部壁１４に向かって突出する突出部１３ｂを有している。一方、支持壁１２の後側部の中央部は、前方に向かって前記突出部１３ｂの手前の位置まで同一高さで突出する突出部１２ａとなっている。突出部１２ａは、噴霧側凹部１４ａにおいて給液側凹部１３ａに隣接する部位に配設されており、後端側（図２中の後端側）から前方に向かって突出している。また、突出部１２ａの前側面及び右側面は、段差部１５との間に所定の（略Ｌ字状の）間隙を置いて対向配置されている。更に、給液側凹部壁１３の中央部には、所定直径の円柱状の弁駆動突部１６が、上方に突出するよう一体形成されている。
【００１３】
＜タンク部材＞
タンク部材２０は、後述する消毒液を貯留するものであり、図１に示すように、四方を包囲する周壁２１と、周壁２１の下端を閉塞する底壁２２と、周壁２２の上端を閉塞する頂壁２３とを備えている。図３に示すように、底壁２２において前記ベース部材１０の給液側凹部１３に対応する部位であって、前記弁駆動突部１６の直上に対向する位置には、所定直径の円形の給液孔２２ａが貫通形成されている。また、頂壁２３において前記ベース部材１０の噴霧側凹部１４の略中央に対応する位置には、所定直径の円形の挿通孔２３ａが貫通形成されている。そして、タンク部材２０を逆向き（即ち、底壁２２を上側）とした状態で、消毒液を挿通孔２３ａからタンク部材２０の内部に所定量（例えば、図２に示すようなタンク内の液位ＴＬとなるように）充填自在となっている。
【００１４】
＜導入部材及び導出部材＞
導入部材３０は、上下両端を閉塞した所定直径の略円筒状をなす周壁３１と、周壁３１の下端の中央から下方に突出する所定直径の円筒状をなす連結部３２とを備え、周壁３１に複数のスリット３１ａを形成して、周壁３１の内外空間を連通したものである。周壁３１は、前記タンク部材２０の底壁２２の給液孔２２ａの直径と同一の外径を有し、その下端部を給液孔２２ａに水密に密嵌して挿着自在（及び離脱自在）となっている。一方、導出部材４０は、大径円筒状の周壁４１の内側に小径円筒状の連結部４２を同心状に形成すると共に、周壁４１の下端と連結部４２の下端との間を円環板状となるよう閉塞したものである。連結部４２は、前記の導入部材３０の連結部３２の内径と同一の外径を有し、連結部４２を連結部３２の内側に水密に密嵌して挿着自在（及び離脱自在）となっている。また、導出部４０の連結部４２の内部には弁４３が配設されている。
【００１５】
消毒液を充填した逆向きのタンク部材２０の給液孔２２ａに、導入部材３０を外側（上側）から挿入して、周壁３１の下端部を給液孔２２ａに密嵌した後、導入部材３０の連結部３２に導出部材４０の連結部４２を密嵌することで、導出部材４０の周壁４１をタンク部材２０の底壁２２に水密に固定自在（及び、離脱自在）となっている。これら固定状態の導入部材３０及び導出部材４０は、タンク部材２０の給液孔２２ａを水密に閉塞するため、タンク部材２０を本来の向き（即ち、頂壁２３を上側）としても、給液孔２２ａから消毒液が漏れ出すことがない。また、このとき、弁４３は、常には閉弁状態にあり、タンク部材２０を本来の向きとしても、弁４３から消毒液が漏れ出すことがないようになっている。そして、この状態のタンク部材２０をベース部材１０に位置合わせして載置すると、タンク部材２０の底壁２２の下面外周縁部等が、ベース部材１０の支持壁１２の上面に密接して支持されると同時に、ベース部材１０の弁駆動突部１６が、（導出部材４０の連結部４２の内径より小さな外径を有して）連結部４２の内部に進入し、弁４３を開弁状態へと駆動するようになっている。これにより、タンク部材２０の内部の消毒液が、導入部材３０から導出部材４０を経て弁４３から下方に流下し、ベース部材１０の給液側凹部１３ａから噴霧側凹部１４ａへと流動して、（弁４３等の動作により）一定量だけ貯留されるようになっている。
【００１６】
＜水位センサ、送風部材、霧化ユニット＞
図２に示すように、ベース部材１０の噴霧側凹部１４ａにおいて突出部１２ａと段差部１５との間の間隙の後端側には、液位センサ５０が配設され、噴霧側凹部１４ａにおける消毒液の貯留量（即ち、噴霧側凹部１４ａにおける消毒液の液位ＢＬ）を常時検出し、検出信号を出力するようになっている。また、ベース部材１０の支持壁１２の前側部中央には、給液インジケーター５５が配設され、タンク部材２０内の消毒液の貯留量（液位ＴＬ）を常時検出して所定の表示部によって表示等するようになっている。前記液位センサ５０の検出信号は、後述する電源制御部１１０や噴霧制御部１２０等の所定の制御部に入力され、液位ＢＬが所定量以下になった場合に電源停止や警告表示等の所定の動作を行うようになっている。また、突出部１２ａの前端半部には、送風部材６０が配設されている。送風部材６０は、小筐体状（小ケース状）の収容部６１と、収容部６１の内部又は下方に配設される送風機としてのファン６２とを備えている。収容部６１の上端には、送風口６１ａが貫通形成されている。一方、ベース部材１０の噴霧側凹部１４ａの中央部には、霧化部材としての霧化ユニット８０が配設されている。霧化ユニット８０は、噴霧側凹部壁１４に固定される基部８１と、基部８１の内部に配設される超音波振動子８２と、超音波振動子８２を駆動する駆動部８３とを備えている。超音波振動子８２は、その上面が噴霧側凹部１４ａ内に露出して噴霧側凹部１４ａ等の内部に貯留された消毒液と接触しており、駆動部８３により駆動されることで、噴霧側凹部１４ａに貯留された消毒液が、超音波振動により所定濃度の霧化状態（ミスト）へと霧化されるようになっている。なお、超音波振動子８２は、典型的には、圧電セラミックス等の圧電素子（即ち、電歪型振動子）から構成される。
【００１７】
＜噴霧部材、操作部材＞
図２に示すように、タンク部材２０の内部において前記挿通孔２３ａに対応する位置には、噴霧部材７０が配設されている。噴霧部材７０は、タンク部材２０の底壁２２に挿通して水密に密嵌固定される円筒状の噴入部７１と、挿通孔２３ａに挿通して水密に密嵌固定される円筒状の噴出部７３と、噴入部７１と噴出部７３とを連結する円筒状の案内部７２とを備えている。また、噴霧部材７０は、噴出部７３の上端（タンク部材２０よりも外部の位置）に、複数のノズル７４を行った形成している。複数のノズル７４は、噴出部７２の四方に突出していると共に、各々が噴出口７４ａを有している。タンク部材２０をベース部材１０に載置して装着した状態で、噴霧部材７０の噴入部７１の下端の円形開口が、超音波振動子８２に対向するようになっている。そして、この状態で、前記送風部材６０のファン６２を駆動することにより、ファン６２からの所定強度（毎秒所定量）の送風が、収容部６１の送風口６１ａから外部に吹き出して、超音波振動子８２により霧化状態とされた消毒液（以下、「霧化消毒液」という。）が、噴霧部材７０の噴入部７１内に噴入した後、案内部７２を介して噴出部７３に至り、ノズル７４の噴出口７４ａから所定の噴出量で外部に噴出するようになっている。なお、前記送風部材６０及び噴霧部材７０により、（霧化部材８０による）霧化消毒液を外部に噴霧する送風噴霧部材又は送風噴霧ユニット又は送風噴霧手段が構成されている。一方、図１に示すように、ベース部材１０の周壁１１の正面中央部には、操作部材９０が配設されている。操作部材９０は、所定の目盛を表示する円環状の目盛部９１と、目盛部９１と同心状に配設されるダイヤル状の操作部９２とを備えている。目盛部９１は、電源オフ状態を示すゼロ位置と、前記送風部材６０の送風強度を複数段階で示すオン位置とを目盛として表示しており、操作部９１を各目盛の位置まで回動することにより、後述する制御システムの制御に基づき、超音波振動子８２の駆動制御、並びに、ファン６２の駆動制御を行うようになっている。
【００１８】
＜消毒液＞
本実施の形態の超音波式噴霧型殺菌消臭装置では、前記消毒液として、典型的には、所定塩素濃度及び所定ｐＨ（例えば、ｐＨ＞７．５）に調製した次亜塩素酸ナトリウム水溶液を使用する。例えば、次亜塩素酸ナトリウム水溶液としては、塩素濃度２５０ｐｐｍの次亜塩素酸ナトリウムの原液を水で１０〜２０倍に希釈したもの（即ち、塩素濃度が１２．５〜２５ｐｐｍの範囲内の所定の値となる次亜塩素酸ナトリウム水溶液）を使用することができる。次亜塩素酸ナトリウム水溶液の塩素濃度が、前記範囲の塩素濃度よりも高くなると、噴霧手段７０により噴出した噴霧消毒液の塩素臭が強くなり、対象空間内の人に不快感を与える可能性があると共に、塩素濃度が更に高くなると、塩害を発生する可能性も出てくる。（例えば、従来技術で挙げた特許文献１のように、一体的に設けた電解槽により殺菌液を電気分解により生成して噴霧する構成の場合、電気分解処理の制御エラー等の原因によって塩素濃度が高くなりすぎる可能性があり、この場合、塩害の可能性が出てくる。）なお、本発明の超音波式噴霧型殺菌消臭装置では、前記消毒液として、例えば、次亜塩素酸水等、その他の消毒液も使用可能である。ただし、本発明の超音波式噴霧型殺菌消臭装置では、後述するように、使用する消毒液の種類に応じて、消毒液の単位時間当たり噴霧量及び噴霧継続時間等を、消毒液の噴霧対象となる対象空間の空間容積を均一に殺菌及び消臭できる単位時間当たり噴霧量及び噴霧継続時間等となるように、後述する制御システムにより制御している。
【００１９】
［ベース側システム、タンク側システム］
上記ベース部材１０、水位センサ５０、送風部材６０、霧化ユニット８０、及び、操作部材９０は、本実施の形態の超音波式噴霧型殺菌消臭装置のベース側システムを構成している。また、前記タンク部材２０、導入部材３０、導出部材４０、及び、噴霧部材７０は、本実施の形態の超音波式噴霧型殺菌消臭装置のタンク側システムを構成している。しかし、本発明に係る超音波式噴霧型殺菌消臭装置は、消毒液を貯留する貯留手段（又は貯留部材又は貯留ユニット）と、消毒液を超音波振動子により霧化する霧化手段（又は霧化部材又は霧化ユニット）と、貯留した消毒液を前記霧化手段に供給する供給手段（又は供給部材又は供給ユニット）と、前記霧化手段により霧化して得られた霧化消毒液を大気中に噴霧する噴霧手段（又は噴霧部材又は噴霧ユニット）とを備える限りにおいて、ベース側システム、及び、タンク側システムとして、上記構成のベース側システム、及び、タンク側システム以外の構成を備えることもできる。なお、本実施の形態の例では、貯留手段は、前記タンク部材２０により構成され、供給手段は、前記導入部材３０及び導出部材４０により構成され、霧化手段は、前記霧化ユニット８０により構成され、噴霧手段は、前記送風部材６０及び噴霧部材７０により構成されている。また、前記霧化手段及び噴霧手段により、消毒液を霧化して外部に噴霧する機能を実現する霧化噴霧手段が構成されている。
【００２０】
［噴霧態様制御システムの構成］
本実施の形態を含む本発明の超音波式噴霧型殺菌消臭装置は、上記ベース側システム、及び、タンク側システムを利用して、単位時間当たり所定量の霧化消毒液を、所定の噴霧態様で（例えば、単位対象空間容積当たり所定時間間隔だけ連続的に噴霧する噴霧態様で）噴霧するように、前記霧化手段及び噴霧手段を駆動制御するための噴霧態様制御システムを備えている。詳細には、図４に示すように、本実施の形態の噴霧制御システムは、第１の制御部（ＣＴ１）としての電源制御部１１０、電源スイッチ１１１、第２の制御部（ＣＴ２）としての噴霧制御部１２０、分岐部１３０、生体検出制御ユニット１４０、第１のパワーリレー（Ｒ１）としてのセンサ側リレー１５０、及び、第２のパワーリレー（Ｒ２）としての電源側リレー１６０からなる各電気・電子要素を備えている。以下、各電気・電子要素について個別に説明する。
【００２１】
＜電源制御部、電源スイッチ、噴霧制御部＞
電源制御部１１０は、電源制御を行うための所定の電気素子及び電子素子を基板上に実装したものであり、商用電源（例えば、日本における典型的な商用電源であるＡＣ１００Ｖ電源又はＡＣ２００Ｖ電源）の電源電圧の電力を入力し、噴霧制御部１２０等の制御に必要な電源電圧の電力（例えば、ＤＣ１２Ｖの電力）を出力するものである。電源制御部１１０自体の構成は、公知の電源制御用の制御盤又は制御盤ユニットと同様の構成である。また、電源スイッチ１１１は、電源制御部１１０の上流側に電気的に接続され、商用電源からの電力を電源制御部１１０に供給又は供給遮断すべくオンオフ動作するものである。電源スイッチ１１１は、前記操作部９２に作用的に連結されて、前記操作部９２の操作によりオン動作又はオフ動作を選択的に行い、商用電源の電力を電源制御部１１０に供給又は供給停止する。電源スイッチ１１１自体の構成も、公知の電源スイッチと同様の構成である。なお、電源スイッチ１１１は、図４中に実線で示すように、商用電源と電線制御部１１０との間に設けてもよいが、図４中に破線で示すように、電源制御部１１０と噴霧制御部１２０との間に設けてもよい（いずれか一方の位置に設けることができる）。即ち、電源スイッチ１１１は、そのオンオフ動作により、電源制御部１１０から噴霧制御部１２０への制御用電力を供給及び供給遮断することができるように回路中に実装すればよい。
【００２２】
噴霧制御部１２０は、電源制御部１１０の下流に電気的に接続され、前記霧化ユニット８０の超音波振動子８２による霧化消毒液の発生量の制御（即ち、霧化量の制御）、並びに、前記送風部材６０のファン６２による送風量の制御（換言すれば、霧化ユニット８０で生成した霧化消毒液を、前記噴霧部材７０を介して外部に噴出する際の噴出量の制御）を行う。例えば、霧化量の制御では、噴霧制御部１２０は、超音波振動子８２に供給する電力を位相制御する（即ち、超音波振動子８２に入力する直流電圧の大きさを調節する）ことで、超音波振動子８２の振動振幅を増減調節して、超音波振動子８２による消毒液の霧化量を増減調節することができる。或いは、噴霧制御部１２０は、超音波振動子８２に供給する電力を時分割制御する（即ち、所定時間内で超音波振動子８２のオン動作及びオフ動作を繰り返す）ことで、超音波振動子８２の駆動時間を増減調節して、超音波振動子８２による消毒液の霧化量を増減調節することもできる。また、噴出量の制御では、噴霧制御部１２０は、ファンの回転数を増減調節して送風量を増減調節することで、超音波振動子８２が霧化した霧化消毒液の噴出量を増減調節することができる。なお、噴霧制御部１２０は、上記の霧化量制御及び噴出量制御を行うための所定の電気素子及び電子素子を基板上に実装したものであり、噴霧制御部１２０自体の構成は、公知の超音波加湿器で使用される噴霧制御用の制御盤又は制御盤ユニットと同様の構成である。
【００２３】
＜分岐部＞
分岐部１３０は、前記電源スイッチ１１１（及び電源制御部１１１）の上流に配設され、商用電源の電力線を第１の電力線１３１及び第２の電力線に分岐することにより、単一の商用電源の電力供給路（給電路）を２つの異なる電力供給路（給電路）へと分割して、単一の商用電源の電力を２つの異なる電力（即ち、商用電源電圧の第１の交流電力及び商用電源電圧の第２の交流電力）へと分配して供給するものである。ここで、第１の電力線１３１は、前記電源スイッチ１１１（及び電源制御部１１０）に電気的に接続して、商用電源電圧の第１の電力を前記電源制御部１１０に供給する。一方、第２の電力線１３２は、前記生体検出制御部１４０に電気的に接続して、商用電源電圧の第２の電力を生体検出制御部１４０に供給する。なお、図１中に破線で示すように、電源スイッチ１１１を電源制御部１１０と噴霧制御部１２０との間にも電気的に接続して、操作部９２による電源スイッチ１１１のオンオフ動作により、電源制御部１１０から生体検出制御ユニット１４０への電力を供給及び供給遮断することができるようにしてもよい。
【００２４】
＜生体検出制御ユニット（生体検出制御部材）＞
生体検出制御ユニット１４０は、生体検出素子としての人感センサ（ＨＳ）１４１と、第３の制御部（ＣＴ３）としてのセンサ側制御部１４２とを備えている。人感センサ１４１は、熱電型（熱型）赤外線センサ及び量子型（光電型）赤外線センサを含む任意の赤外線センサ、超音波センサ、可視光センサ等、人感センサとして使用可能な任意のセンサから構成することができるが、入手容易性等の点から熱電型赤外線センサから構成することが好ましく、更に、低コスト化及び入手容易性による本発明製品の量産性等の観点から、熱電型赤外線センサの中でも焦電型赤外線センサから構成することが好ましい。センサ側制御部１４２は、人感センサ１４１からの微弱電圧（例えば、ミリボルト単位）のセンサ信号を入力して増幅し、そのセンサ信号の値を常時モニターして、センサ信号の値が閾値以上となったときに、検出対象の生体（人体又は動物等の生体）が存在すると判断して、所定電圧の検出信号（例えば、ＤＣ３．３〜５．５Ｖの範囲の直流信号、又は、ＤＣ９〜１３Ｖの範囲の直流信号等）を所定の検出信号出力端子から出力するものであり、そのための所定の電気素子及び電子素子を基板上に実装している。また、センサ側制御部１４２は、タイマーＩＣや限時復帰形タイマー（オフディレイタイマー）等からなるタイマー１４３を内蔵又は実装しており、前記検出信号に基づいて、後述するセンサ側リレー１５０のコイル１５１を所望の処理時間間隔だけ継続して励磁することにより、接点１５２をその処理時間間隔だけ継続してオン動作することができる。なお、タイマー１４３による検出信号の継続時間の設定は、任意の時間間隔の設定（例えば、１秒〜３０秒の範囲、１秒〜１分の範囲、１秒〜２分の範囲、１秒〜３分の範囲等における秒単位の設定）とすることができる。また、人感センサ１４１のセンサ信号を増幅して閾値と比較し、センサ信号の値が閾値以上の場合に検出信号を出力する回路は、センサ側回路１４２に設けてもよいが、人感センサ１４１と一体的に設けて、人感センサ１４１をユニット化した人感センサユニットとして構成することもできる。この場合、センサ側制御部１４２は、人感センサユニットからの検出信号を受けて、後述する所定の噴霧制御動作（検出信号を所定の継続時間間隔だけ出力するタイマー動作等）を行う構成とすることができる。いずれにしても、本実施の形態を含む本発明の超音波式噴霧型殺菌消臭装置は、所定の対象空間内の生体を検出して検出信号を出力すると共に、その検出信号に基づく所定の噴霧制御動作を実行可能な生体検出制御手段を備える構成であればよい。また、人感センサ１４１は、焦電型赤外線センサにより構成した場合、生体の動きを検出するモーションセンサとして機能し、生体が移動又は運動を継続すると、検出信号が継続的又は断続的に出力されることになるが、生体が移動又は運動せずに静止していると、生体が存在するにもかかわらず検出信号が出力されないこともある。
【００２５】
＜センサ側リレー＞
センサ側リレー１５０は、一次側のコイル１５１と、二次側の接点（ａ接点）１５２とを有し、コイル１５１の上流側を前記センサ側制御部１４２の検出信号出力端子に電気的に接続して、センサ側制御部１４２から検出信号が入力されたときに、コイル１５１を励磁して接点１５１を閉じるようになっている。また、センサ側リレー１５０の接点１５２には、前記第２の電力線１５２の第２の電力がそのまま入力されている（即ち、商用電源電圧の電力がそのまま入力されている）。なお、第２の電力線１３２からの第２の電力は、生体検出制御ユニット１４０を介して（間接的に）接点１５１に入力してもよく、生体検出制御ユニット１４０を介さず（直接的に）接点１５１に入力してもよいが、生体検出制御ユニット１４０を介する場合でも、商用電源電圧の電力がそのまま入力される。そして、センサ側リレー１５０は、センサ側制御部１４２から検出信号が入力されたときに、コイル１５１を励磁して接点１５１を閉じることで、商用電源電圧の電力を接点１５１から制御信号（即ち、後述する電源用リレー１６０の駆動用の指令信号）として出力するようになっている。即ち、センサ側リレー１５０は、人感センサ１４１に基づく生体の検出信号を受けて、二次側の接点１５２から、（第２の電力である）商用電源電圧の信号をそのまま制御信号として直接的に出力するようになっている。ここで、上記のように、センサ側制御部１４２は、検出信号の出力時に、タイマー１４３によりセンサ側リレー１５０のコイル１５１を所望の処理時間間隔だけ継続して励磁し、接点１５２をその処理時間間隔だけオン動作自在である。例えば、センサ側制御部１４２は、タイマー１４３として限時復帰形タイマーを設けた場合、センサ側リレー１５０を自己保持する自己保持回路を有し、タイマー１４３により設定した所定の処理時間間隔だけ、センサ側リレー１５０を自己保持して、その処理時間間隔だけ接点１５２を連続的にオン動作する。或いは、センサ側制御部１４２は、タイマー１４３としてタイマーＩＣを設けた場合、タイマー１４３により設定した所定の処理時間間隔だけ、センサ側リレー１５０のコイル１５１を励磁継続して（即ち、その処理時間間隔だけコイル１５１に検出信号を出力継続し）、その処理時間間隔だけ接点１５２を連続的にオン動作する。いずれにしても、センサ側制御部１４２は、タイマー１４３を介して、センサ側リレー１５０を所望の時間間隔だけ連続的にオン動作する電気的構成を有すればよく、その電気的構成は上記の構成に限定されるものではない。
【００２６】
なお、センサ側リレー１５０の一次側のコイル１５１には、センサ側制御部１４２により商用電源電圧を所定の制御電圧へと降圧した信号（即ち、リレー駆動用の制御信号）を入力してもよいが、商用電源電圧の信号をそのまま制御信号として入力して励磁動作を行うようにすることもできる。いずれにしても、センサ側リレー１５０は、一次側のコイル１５１については、入力する電源電圧等の電気的仕様に対応する構成（例えば、商用電源で励磁される構成等）となっており、また、二次側の接点１５２については、入力（及び出力）する電源電圧等の電気的仕様に対応する構成（例えば、入力電圧に対応する接点容量を有する構成等）となっている。特に、センサ側リレー１５０は、二次側の接点１５２の接点容量を、商用電源の直接入力に対応した接点容量（例えば、ＡＣ１００Ｖ、ＡＣ１１０Ｖ等）としており、（後述する電源側リレー１６０駆動用の）商用電源電圧の制御信号を出力できるよう構成されている。また、センサ側リレー１５０は、接点１５２としてａ接点を備える構成に限定されるものではなく、前記検出信号の入力によりコイル１５１を励磁して、接点１５２から商用電源電圧の制御信号を出力できる限りにおいて、任意の数のａ接点を備える構成としたり、ａ接点以外の接点（ｂ接点やｃ接点）を備える構成としたり、ａ接点の代わりにｃ接点を備える構成としたりする等、任意の構成とすることができる。ただし、センサ側リレー１５０は、最低限の機能として、検出信号を受けて後述する電源側リレー１６０を駆動するための制御信号を出力する機能を備えればよいため、１ａ接点の構成とすることもでき、この場合、リレーの構成を簡素化してコストを削減することができる。
【００２７】
＜電源側リレー＞
電源側リレー１６０は、一次側のコイル１６１と、二次側の接点（ａ接点）１６２とを有し、コイル１６１の上流側を前記センサ側リレー１５０の接点１５２の出力側（下流側）に電気的に接続して、センサ側制御部１４２の検出信号によりセンサ側リレー１５０のコイル１５１が励磁され、接点１５１が閉じて二次側の信号（制御信号）が出力されたときに、その制御信号が電源側リレー１６０のコイル１６１に入力されてコイル１６１が励磁され、接点１６１が閉じるようになっている。また、電源側リレー１６０の接点１６２には、前記第１の電力線１３１の第１の電力が（電源スイッチ１１１を介して）そのまま入力されている（即ち、商用電源電圧の電力がそのまま直接的に入力されている）。詳細には、電源側リレー１６０の接点１６２は、図４中に実線で示すように、電源スイッチ１１１を電源制御部１１０の上流側に設ける場合は、電源スイッチ１１１と電源制御部１１０との間に電気的に接続され、図４中に破線で示すように、電源スイッチ１１１を電源制御部１１０の上流側に設ける場合は、電源制御部１１０の上流側に電気的に接続される。いずれの場合も、電源側リレー１６０の接点１６２は、電源制御部１１０の上流側に電気的に接続され、分岐部１３０からの第１の電力線１３１の第１の電力（即ち、商用電源電圧の電力）がそのまま接点１６２に入力される。即ち、電源側リレー１６０の接点１６２は、生体の検出信号に基づき、センサ側リレー１５０からの商用電源電圧の電流（即ち、第２の電力線１３２からの電流）からなる制御信号が一次側のコイル１６１に入力されたときに、接点１６２から電源制御部１１０に第１の電力線１３１からの商用電源電圧の電流を供給する商用電源供給手段として機能する。よって、電源側リレー１６０が電源制御部１１０の上流側に設けられる限りにおいて、図示はしないが、電源スイッチ１１１を電源側リレー１６０と電源制御部１１０との間に設ける等、他の電気的構成を採用することもできる。
【００２８】
ここで、電源側リレー１６０は、上記のとおり、一次側のコイル１６１に、センサ側リレー１５０の接点１５２からの商用電源電圧の制御信号をそのまま直接的に（即ち、所定の制御電圧へと降圧することなく）入力して励磁動作を行う構成である。いずれにしても、電源側リレー１６０は、一次側のコイル１６１については、入力する電源電圧等の電気的仕様に対応する構成（商用電源で励磁される構成等）となっており、また、二次側の接点１６２については、入力（及び出力）する電源電圧等の電気的仕様に対応する構成（例えば、入力電圧に対応する接点容量を有する構成等）となっている。特に、電源側リレー１６０は、二次側の接点１６２の接点容量を、商用電源の直接入力に対応した接点容量（例えば、ＡＣ１００Ｖ、ＡＣ１１０Ｖ等）としており、商用電源電圧の電流を電源制御部１１０への給電用の電力として出力できるよう構成されている。また、電源側リレー１６０は、接点１６２としてａ接点を備える構成に限定されるものではなく、前記センサ側リレー１５０からの制御信号の入力によりコイル１６１を励磁して、接点１６２から商用電源電圧の電流を出力できる限りにおいて、任意の数のａ接点を備える構成としたり、ａ接点以外の接点（ｂ接点やｃ接点）を備える構成としたり、ａ接点の代わりにｃ接点を備える構成としたりする等、任意の構成とすることができる。例えば、電源側リレー１６０は、接点構成が２ｃ接点で、定格制御容量（抵抗負荷）が７Ａ２５０ＶＡＣ（即ち、接点最大許容電力（抵抗負荷）が１７５０ＶＡ）のパワーリレーとすることができる。また、電源側リレー１６０は、接点１６２の保護回路として、ＣＲ回路を備える構成とすることができ、この場合、ＣＲ回路により接点１６２のオフ時のサージ抑制や、接点１６２のオン時の突入電流制限を行うことができる。ただし、駆動側リレー１６０は、最低限の機能として、センサ側リレー１５０からの制御信号を受けて電源制御部１１０用の電力を出力する機能を備えればよいため、１ａ接点の構成とすることもでき、この場合、リレーの構成を簡素化してコストを削減することができる。
【００２９】
［消毒液噴霧動作］
本実施の形態の超音波式噴霧型殺菌消臭装置の噴霧制御は、上記のように構成した噴霧態様制御システムを使用して、以下のように行われる。即ち、まず、本実施の形態の超音波式噴霧型殺菌消臭装置ＵＤは、例えば、図９（ａ）に示すように、基本的には遮蔽空間からなる対象空間ＳＶ（化粧室、待合室、喫煙室等）の所定箇所に設置され、商用電源に電気的に接続される。そして、（例えば、操作部９２を操作して）電源スイッチ１１１をオンして商用電源の電力を超音波式噴霧型殺菌消臭装置に供給すると、商用電源電圧の電力が、分岐部１３０を介して第１の電力線１３１及び第２の電力線１３２に分岐して供給される。このとき、第１の電力線１３１からの第１の電力が、電源スイッチ１１１から電源側リレー１６０へと供給される一方、第２の電力線１３２からの第２の電力が、生体検出ユニット１４０へと供給される。ここで、対象空間ＳＶ内に生体（正確には、人や動物等、人感センサ１４１が検出信号を発生するような生体）が存在しない場合、人感センサ１４１からのセンサ信号に基づきセンサ側制御部１４２が検出信号を出力することはなく、センサ側リレー１５０のコイル１５１への電力供給は行われず、コイル１５１は消磁状態を維持する。よって、センサ側リレー１５０の接点１５２は開状態を維持し、電源側リレー１６０のコイル１６１への電力供給は行われない。したがって、電源側リレー１６０のコイル１６１は消磁状態を維持することになり、電源側リレー１６０の接点１６２は開状態を維持する。その結果、電源スイッチ１１１をオン状態にしても、第１の電力線１３１から電源制御部１１０への（第１の電力の）電力供給は行われず、その下段の噴霧制御部１２０、ファン６２及び超音波振動子８２への電力供給も行われないため、ファン６２及び超音波振動子８２による噴霧消毒液の生成及び噴出は行われない。
【００３０】
一方、対象空間ＳＶ内に生体が進入した場合、人感センサ１４１からのセンサ信号に基づきセンサ側制御部１４２が検出信号を出力することになり、センサ側リレー１５０のコイル１５１への電力供給が行われて、コイル１５１が消磁状態から励磁状態となる。よって、センサ側リレー１５０の接点１５２が開状態から閉状態へと駆動され、電源側リレー１６０のコイル１６１に商用電源電圧の電力を供給する。その結果、電源側リレー１６０のコイル１６１が消磁状態から励磁状態となり、電源側リレー１６０の接点１６２が開状態から閉状態へと駆動される。その結果、電源スイッチ１１１がオン状態にあることから、第１の電力線から電源制御部１１０へ商用電源電圧の第１の電力が供給されることになる。これにより、電源制御部１１０から噴霧制御部１２０に所定の電源電圧の電力が供給され、噴霧制御部１２０から、ファン６２駆動用の制御用電力及び超音波振動子８２駆動用の制御用電力が、それぞれ、ファン６２及び超音波振動子８２に供給される。よって、超音波振動子８２が、噴霧制御部１２０からの所定の（霧化量制御用の）制御電力に応じた単位時間当たり霧化量で、前記給液側凹部１３ａ及び噴霧側凹部１４ａに貯留された消毒液（通常は、超音波振動子８２の直上にある噴霧側凹部１４ａ内の消毒液）を霧化して霧化消毒液を生成すると共に、ファン６２が、噴霧制御部１２０からの所定の（送風量制御用の）制御電力に応じた単位時間当たり送風量で、霧化消毒液を前記噴霧部材７０の噴入部７１に強制的に噴入させ、案内部７２を介して噴出部７３に送出して、各ノズル７４の噴出口７４ａから外部に噴出する。このときに噴出される噴霧消毒液は、前記噴霧用制御電力に応じた濃度（密度）の霧化状態にあり、かつ、前記送風用制御電力に応じた拡散速度及び拡散範囲となるよう対象空間ＳＶ内に強制的に噴出される。
【００３１】
［霧化噴霧動作制御］
ここで、本実施の形態の超音波式噴霧型殺菌消臭装置は、前記消毒液の霧化噴霧動作において、以下のような態様で霧化噴霧動作制御を行う（以下の霧化噴霧制御モードを「第１の霧化噴霧制御モード」という。）。詳細には、対象空間内に生体が進入して、人感センサ（ＨＳ）１４１がこの生体を検出すると、人感センサ１４１から出力されるセンサ信号が、図５のタイミングチャートに示すように、所定の閾値以上の電圧値のセンサ信号（以下、「センサオン信号」という。）ＤＳとなる。すると、センサ側制御部１４２が、このセンサオン信号に対応する検出信号を、センサ側リレー１５０駆動用のセット信号ＳＳ１として、センサ側リレー（Ｒ１）１５０の一次側のコイル１５１に出力する。すると、センサ側リレー１５０のコイル１５１が励磁されて、接点１５２がオン動作する（即ち、閉状態となる）。これと同時に、センサ側制御部１４２では、タイマー１４３がオン動作して、センサ側リレー１５０のコイル１５１が、タイマー１４３により予め設定した処理時間間隔ＰＴだけ励磁状態を継続し、これに対応して、接点１５２が、前記処理時間間隔ＰＴだけ閉状態を維持する。これにより、センサ側リレー１５０が、接点１５２を介して、前記処理時間間隔ＰＴだけ、商用電源電圧の電流（制御信号）を電源側リレー（Ｒ２）１６０のコイル１６１に継続的及び連続的に出力し、コイル１６１を励磁して、接点１６２をオン動作する（開状態から閉状態へと動作する）。したがって、電源側リレー１６０の接点１６２が、前記処理時間間隔ＰＴだけ、第１の電力線１３１を介して電源スイッチ１１１と電源制御部１１０とを電気的に接続し、商用電源からの第１の電力が、前記処理時間間隔ＰＴだけ、電源スイッチ１１１及び電源側リレー１６０の接点１６２を介して、電源制御部１１０に供給される。その結果、噴霧制御部１２０が、電源制御部１１０からの給電に基づいて、前記処理時間間隔ＰＴだけ、超音波振動子８２及びファン６２を上記の所定の態様で動作し、霧化消毒液を対象空間ＳＶ内に上記の所定の態様で噴霧して均一に拡散する。なお、人感センサ１４１は、対象空間ＳＶ内に生体が継続的に存在して移動等した場合も、センサオン信号ＤＳを断続的に出力するが、このとき、センサ側制御部１４２は、最初のセンサオン信号ＤＳのみに基づいて前記処理時間間隔ＰＴだけセンサ側リレー１５０を駆動するようにしてもよく、或いは、断続的なセンサオン信号を認識するごとに、セット信号を出力して、タイマー１４３による設定時間をリセットして延長し、センサ側リレー１５０の駆動時間を延長するように構成することもできる。
【００３２】
その後、前記処理時間間隔ＰＴが経過すると、タイマー１４３からリセット信号ＲＳ１が出力されて、センサ側リレー１５０のコイル１５１が消磁し、これにより、接点１５２がオフ動作する（即ち、開状態に復帰する）。これにより、センサ側リレー１５０の接点１５２から電源側リレー１６０のコイル１６１への制御信号の供給が停止し、コイル１６１が消磁して、接点１６２がオフ動作する（閉状態から開状態へと復帰する）。したがって、電源側リレー１６０の接点１６２が、第１の電力線１３１を介した電源スイッチ１１１と電源制御部１１０との間の電気的接続を開放して、商用電源からの第１の電力の電源制御部１１０への供給が停止される。その結果、噴霧制御部１２０による超音波振動子８２及びファン６２の駆動動作も停止し、霧化消毒液の対象空間ＳＶ内への噴霧動作も停止される。このように、本実施の形態の超音波式噴霧型殺菌消臭装置は、人感センサ１４１による生体の検出を起点として、タイマー１４３により設定した所定の処理時間間隔ＰＴだけ、霧化消毒液を対象空間ＳＶ内に所定濃度かつ所定噴射量（及び所定噴射速度）で噴射して均一に拡散し、所定時間間隔ＰＴ経過後は、直ちに、霧化消毒液の噴射を停止する。
【００３３】
［霧化噴霧動作制御の各種の態様］
ここで、本実施の形態を含む本発明の超音波式噴霧型殺菌消臭装置は、上記のように、人感センサ１４１による生体（人体や動物）の検出動作に基づき、電源制御部１１０に商用電源電圧の電力を供給して、噴霧制御部１２０の制御により霧化噴霧手段（超音波振動子８２やファン６２）を駆動して霧化消毒液を対象空間ＳＶに均一に拡散する。このとき、人感センサ１４１として焦電型赤外線センサを使用した場合、人感センサ１４１は、その特性上、基本的には、生体の動作又はモーション（即ち、対象空間内での生体の進入、退出、移動等の動作又はモーション）を検出することになる。よって、この場合、本実施の形態を含む本発明の超音波式噴霧型殺菌消臭装置は、人感センサ１４１による生体の動作検出後の霧化噴霧動作時間を前記タイマー１４３により前記処理時間間隔ＰＴとして設定する。なお、本実施の形態を含む本発明の超音波式噴霧型殺菌消臭装置は、人感センサ１４１として焦電型赤外線センサ以外のセンサを使用した場合でも、基本的には、人感センサ１４１による生体の動作又はモーションの検出動作（即ち、センサ信号の出力）に基づき、その生体の動作検出後の霧化噴霧動作時間を前記タイマー１４３により前記処理時間間隔ＰＴとして設定する。無論、本実施の形態を含む本発明の超音波式噴霧型殺菌消臭装置は、上記のようにして人感センサ１４１による生体検出動作の直後に前記霧化噴霧動作を行うように制御する以外にも、後述するように、人感センサ１４１による生体検出動作が行われていない間（即ち、センサ信号の出力がない間）に、霧化噴霧動作を行うように制御することもできる。また、本実施の形態を含む本発明の超音波式噴霧型殺菌消臭装置は、この場合も、上記のように所定の処理時間間隔だけ霧化噴霧動作を行うよう制御することもできるが、人感センサ１４１が生体を検出しない全ての時間間隔において霧化噴霧動作を行うよう制御することもできる。
【００３４】
［霧化噴霧動作時間（処理時間間隔）の設定］
次に、前記処理時間間隔ＰＴ（即ち、霧化消毒液の噴霧時間間隔）の設定について説明すると、処理時間間隔ＰＴは、センサ側制御部１４２のタイマー１４３の設定機能により、噴霧消毒液の噴霧拡散対象となる対象空間ＳＶの空間容積や空間の種類等に応じた所定の値に設定される。典型的には、センサ側制御部１４２は、タイマー１４３を使用して、前記処理時間間隔ＰＴを、前記霧化噴霧動作により対象空間ＳＶの全体を殺菌及び消臭できる時間間隔、具体的には、対象空間ＳＶの空気の全体に噴霧消毒液を均一に噴霧して拡散することにより対象空間ＳＶ内に噴霧消毒液を均一に充満できる時間間隔へと設定する。このとき、本実施の形態を含む本発明の超音波式噴霧型殺菌消臭装置は、例えば、超音波式噴霧型殺菌消臭装置ＵＤを設置した対象空間ＳＶに外部から生体が進入した直後から（即ち、その進入時を開始時刻として）、前記処理時間間隔ＰＴだけ、対象空間ＳＶ内に噴霧消毒液を噴霧することにより、対象空間ＳＶ内の空気中の殺菌や消臭等を行うことができる。なお、かかる対象空間ＳＶとしては、例えば、殺菌や防臭等の要請が高い場所として、トイレや化粧室、不特定多数の人が往来する玄関等、汚染懸念の強い場所等がある。
【００３５】
ここで、超音波式噴霧型殺菌消臭装置において、対象空間に進入等する生体を検出して霧化消毒液の噴霧動作を行う場合に、単に、生体の検出と同時に霧化消毒液の噴霧動作を開始するだけの制御を行うと、生体検出後、消毒や消臭が不要な時間帯まで連続して霧化消毒液が噴霧され、霧化消毒液の過剰噴霧による消毒液の無駄や、不要な霧化噴霧動作による電力消費の無駄等が発生する。これに対し、本実施の形態のように、生体検出後の一定時間である処理時間間隔ＰＴだけ、霧化消毒液を対象空間ＳＶに噴霧することで、対象空間ＳＶの空気の殺菌や消毒に必要な時間間隔だけ必要な量の噴霧消毒液を噴霧して拡散することができ、霧化消毒液の過剰噴霧による消毒液の無駄や、不要な霧化噴霧動作による電力消費の無駄等を防止することができる。
【００３６】
また、処理時間間隔ＰＴは、主には、対象空間の空間容積の増減に対応して増減調整することができるが、これ以外にも、対象空間に同時に入室又は進入する可能性のある人数の予測値又は統計値、単位時間当たり入室人数の予測値又は統計値、対象空間の使用用途や使用目的、対象空間の空気中に放散される可能性のある雑菌の種類や数等の条件に応じて、処理設定時間ＰＴを増減調節することもできる。例えば、図９（ｂ）に示すように、処理時間間隔ＰＴは、対象空間ＳＶの容積に対応して増減するよう設定することができるが、この場合、図９（ｂ）中の実線Ｃ１で示すように、対象空間ＳＶの容積に正比例するよう（即ち、対象空間ＳＶの容積に対して一次式又は線形の関係となるよう）設定することもできる。例えば、対象空間ＳＶがトイレ空間等のように小容積である第１の容積ＳＶ１を有する場合、処理時間間隔ＰＴとしてその第１の容積ＳＶ１に対応する（短い時間間隔である）第１の処理時間間隔ＰＴ１（例えば、５〜２０秒、２０〜４０秒、４０〜６０秒等の範囲の任意の値）を設定し、対象空間ＳＶが玄関等の中容積である第２の容積ＳＶ２を有する場合、処理時間間隔ＰＴとしてその第２の容積ＳＶ２に対応する（中程度の時間間隔である）第２の処理時間間隔ＰＴ２（例えば、６０〜８０秒、８０〜１００秒、１００〜１２０秒等の範囲の任意の値）を設定し、対象空間ＳＶが喫煙室や待合室等の大容積である第３の容積ＳＶ３を有する場合、処理時間間隔ＰＴとしてその第３の容積ＳＶ１に対応する（長い時間間隔である）第３の処理時間間隔ＰＴ３（例えば、１２０〜１４０秒、１４０〜１６０秒、１６０〜１８０秒等の範囲の任意の値）を設定することができる。また、処理時間間隔ＰＴは、図９（ｂ）中の一点鎖線Ｃ２で示すように、対象空間ＳＶの容積が大きくなるにつれて時間間隔の増加割合を徐々に大きくするよう（即ち、対象空間ＳＶの容積に対して下に凸な曲線形の関係となるよう）設定することもでき、或いは、図９（ｂ）中の二点鎖線Ｃ３で示すように、対象空間ＳＶの容積が大きくなるにつれて時間間隔の増加割合を徐々に小さくするよう（即ち、対象空間ＳＶの容積に対して上に凸な曲線形の関係となるよう）設定することもできる。なお、処理時間間隔ＰＴは、例えば、対象空間ＳＶの種類に応じて増減調整する場合、トイレ空間や化粧室等、単位容積当たり菌数が多いことが予想される対象空間ＳＶについては、その他の対象空間ＳＶよりも長い時間間隔となるよう設定することもできる。
【００３７】
［霧化噴霧動作用の電源とセンサ用の電源の分離］
ここで、本実施の形態の超音波式噴霧型殺菌消臭装置は、上記のとおり、人感センサ１４１による生体検出結果に基づき、霧化部材の超音波振動子８２及び送風噴霧部材のファン６２を駆動するための構成として、分岐部１３０により（霧化制御や噴霧制御を行うための）駆動側の電源と（人感センサ１４１の検出出力を受けた制御を行うための）センサ側の電源とを分離して、駆動側の電源として第１の電力線１３１からの第１の電力を（人感センサ１４１側に配設した）センサ側リレー１５０の二次側の接点１５２に入力し、センサ側の電源として第２の電力線１３２からの第２の電力を（電源制御部１１０側に配設した）電源側リレー１６０の二次側の接点１６２に入力している。そして、本実施の形態の超音波式噴霧型殺菌消臭装置は、人感センサ１４１の検出出力に基づき、センサ側リレー１５０の一次側のコイル１５１を励磁して二次側の接点１５２を閉駆動し、これにより、商用電源電圧の第２の電力をセンサ側リレー１５０の接点１５２から電源側リレー１６０の一次側のコイル１６１に制御信号として入力して二次側の接点１６２を閉駆動し、第１の電力を電源制御部１１０に供給して、前記霧化制御や噴霧制御を行うための駆動側の電力を霧化制御部１２０に供給している。
【００３８】
一方、人感センサ１４１による生体検出結果に基づき、霧化部材の超音波振動子８２及び送風噴霧部材のファン６２を駆動するための構成として、本発明者は、上記の構成以外にも、駆動側の電源とセンサ側の電源とを分離することなく、センサ側に設けた単一のパワーリレーを使用して、人感センサの検出出力に基づいてパワーリレーを駆動して、その二次側の接点を介して商用電源の電力を電源制御部に供給する構成についても研究開発を重ねた。しかし、この研究開発の結果、本発明者は、このように単一のパワーリレーを使用する構成では、人感センサの検出動作が不安定化して誤動作が発生するという知見を得た。即ち、本発明者は、この場合において、人感センサが一旦生体を検出したことを表すセンサ信号を出力して、超音波振動子等が駆動開始した後、生体が不存在となったにもかかわらず、依然として人感センサが生体の検出を表すセンサ信号の出力を継続し、（上記のようにしてタイマー制御することで）超音波振動子を所定時間経過後に停止する構成としても、超音波振動子が停止せず動作継続するといった不具合が発生する、という知見を得た。これは、特に、超音波振動子自体の振動に起因するノイズや、超音波振動子を駆動するための高周波によるノイズ等、駆動側に存在する電気部品又は電子部品に起因する外乱やノイズが、人感センサ自体のセンサ回路や、人感センサのセンサ信号を処理する（上記センサ側制御部１４２に対応する）回路等と電気的に干渉し、人感センサによる検出動作に影響を与えているものと推察される。これは、本発明のように超音波振動子を必須の構成用とする装置で人感センサを使用する場合において発生する固有、かつ、本発明者が（鋭意の研究開発の結果）知見を得た新規な課題であり、この新規な課題を解決するため、本発明者は、上記のように、商用電源電力を第１及び第２の電力に分岐すると共に、センサ側リレー１５０を介して第２の電力を制御信号として電源側リレー１６０に出力することで電源側リレー１６０を駆動し、電源側リレー１６０を介して第１の電力を霧化噴霧動作に関連する構成要素に供給することで、上記のような不具合を確実に防止している。即ち、本発明者は、鋭意の研究開発の結果、このように構成した場合、超音波振動子等の駆動側の電気・電子部品等が、センサ側の電気・電子部品等と電気的干渉を生じることがなく、人感センサ１４１の検出出力に基づいて超音波振動子８２等を設定した動作のとおりに動作するよう駆動制御できることを確認している。
【００３９】
また、上記のように構成することで、対象空間ＳＶ内に生体が進入等しておらず、対象空間ＳＶ内への霧化消毒液の噴霧や散布を必要としないときは、（電源側リレー１６０により電源制御部１１０自体への電力供給が遮断されることから）超音波振動子８２等への電源供給が行われることはなく、超音波式噴霧型殺菌消臭装置の消費電力を抑制することができるという効果も得ることができる。更に、電源側リレー１６０の前段にセンサ側リレー１５０を配置することで、上記のようなノイズ対策（検出不良防止）に加え、背板検出語のタイマー制御による設定時間間隔ＰＴだけの噴霧制御以外にも、各種の制御が可能になるという効果も得ることができる。なお、この各種の制御の例については、下記の実施の形態２及び実施の形態３で説明する。即ち、本実施の形態を含む本発明の超音波式噴霧型殺菌消臭装置は、（商用電源で動作する）パワーリレーからなるセンサ側リレー１５０を、本来の用途である電源制御用の電気・電子部品（即ち、センサ出力に基づいて商用電源を駆動側の電気的部材に供給する用途）としてではなく、電源側リレー１６０の一次側のコイル駆動用のための制御信号出力用の電気・電子部品として機能するよう構成しているため、上記の効果を含む様々な特有の効果を発揮することができる。
【００４０】
［実施の形態２］
本発明の実施の形態２に係る超音波式噴霧型殺菌消臭装置は、実施の形態１の超音波式噴霧型殺菌消臭装置と同様のベース側システム（ベース部材１０等）及びタンク側システム（タンク部材２０等）を備える一方、その電気的構成を一部変更している。詳細には、実施の形態２に係る超音波式噴霧型殺菌消臭装置は、操作部９２等を介した使用者の選択操作により、前記霧化部材８０による霧化動作や送風噴霧部材６０，７０による送風噴霧動作を、人感センサ１４１からの検出出力に基づき前記一定の処理時間間隔ＰＴだけ継続する霧化噴霧制御モード（例えば、前記第１の霧化噴霧制御モード）で行うことに加え、人感センサ１４１からの検出出力に基づくことなく、霧化噴霧動作を間欠的に行う霧化噴霧制御モード（第２の霧化噴霧制御モード）や、霧化噴霧動作を連続的に常時行う霧化噴霧制御モード（第３の霧化噴霧制御モード）で行うこともできるよう構成している。具体的には、実施の形態２に係る超音波式噴霧型殺菌消臭装置は、例えば、図６に示すように、センサ側制御部１４２のタイマー１４３等を使用して所定の制御を行う第４の制御部（ＣＴ４）２０１を設けると共に、生体検出制御ユニット１４０に人感センサ１４１からの検出出力を無効化するためのスイッチ２１１を設けている。そして、操作部９２等の操作により、スイッチ２１１を開状態とすることで、人感センサ１４１から生体検出を示すセンサ信号が出力されているか否かに係わらず、第４の制御部２０１により、上記第２の霧化噴霧制御モードで間欠的な霧化噴霧動作を行う制御を実行したり、上記第３の霧化噴霧制御モードで常時の霧化噴霧動作を行う制御を実行したりする。この場合、第４の制御部２０１が、第１から第３の霧化噴霧制御モードのいずれかのモードにしたがって、第１のパワーリレーとしてのセンサ側リレー（Ｒ１）１５０を駆動制御して、第２のパワーリレーとしての電源側リレー（Ｒ２）１６０からの電源制御部１１０への電力供給を制御するようになっている。例えば、間欠的な霧化噴霧動作のための第２の霧化噴霧制御モードの場合、前記センサ側制御部１４２にタイマー１４３を間欠タイマーにより構成したり、センサ側制御部１４２にタイマー１４３に加えて間欠タイマーを設けたり、或いは、第４の制御部２０１に間欠タイマーを設けたりして、その間欠タイマーの間欠的タイマー制御により、間欠的な霧化噴霧動作を行うように構成することができる。なお、第４の制御部２０１は、センサ側制御部１４２に同等の機能を実現するための構成を設けてもよい。
【００４１】
［実施の形態３］
本発明の実施の形態３に係る超音波式噴霧型殺菌消臭装置は、実施の形態１の超音波式噴霧型殺菌消臭装置と同様のベース側システム（ベース部材１０等）及びタンク側システム（タンク部材２０等）を備える一方、その電気的構成を一部変更している。詳細には、実施の形態３に係る超音波式噴霧型殺菌消臭装置は、操作部９２等を介した使用者の選択操作により、前記霧化部材８０による霧化動作や送風噴霧部材６０，７０による送風噴霧動作を、人感センサ１４１が生体を検出したときに一定の処理時間間隔ＰＴだけ継続する霧化噴霧制御モード（例えば、前記第１の霧化噴霧制御モード）Ｍ１と、人感センサ１４１からの検出出力に基づくことなく、霧化噴霧動作を間欠的に行う霧化噴霧制御モード（第２の霧化噴霧制御モード）Ｍ２と、（第１の霧化噴霧制御モードとは反対に）人感センサ１４１が生体を検出していないときにのみ（即ち、対象空間ＳＶ内の生体の非検出時にのみ）霧化噴霧動作を一定時間間隔だけ、又は、連続的に行う霧化噴霧制御モード（第３の霧化噴霧制御モード）Ｍ３との間で切り換えて行うこともできるよう構成している。具体的には、実施の形態３に係る超音波式噴霧型殺菌消臭装置は、例えば、図７に示すように、センサ側制御部１４２に、前記第１のパワーリレーとしてのセンサ側リレー（Ｒ１）１５０を前記第１〜第３の噴霧制御モードＭ１，Ｍ２，Ｍ３の間で切り換えて駆動制御するための回路構成を設け、センサ側制御部１４２の制御によって、センサ側リレー１５０を前記第１〜第３の噴霧制御モードＭ１，Ｍ２，Ｍ３のいずれかの選択モードで駆動制御して、この選択モードでの駆動制御にしたがって、第２のパワーリレーとしての電源側リレー（Ｒ２）１６０からの電源制御部１１０への電力供給を制御するようになっている。例えば、間欠的な霧化噴霧動作のための第２の霧化噴霧制御モードの場合、実施の形態２と同様にして、センサ側制御部１４２が（前記第４の制御部ＣＴ４と同様の回路構成を有することで）間欠的な霧化噴霧動作を行うようにすることができる。また、第３の霧化噴霧制御モードの場合、センサ側制御部１４２が、人感センサ１４１の検出出力を（ＮＯＴ回路等により）反転してセンサ側リレー１５０の一次側に出力することで、人感センサ１４１が生体を検出した生体検出時には、センサ側リレー１５０の一次側への制御信号の送出を行わずに、電源側リレー１６０への電源供給を停止状態とし、超音波振動子８２やファン６２等による霧化噴霧動作を停止する一方で、人感センサ１４１が生体を検出しない生体非検出時には、センサ側リレー１５０の一次側への制御信号の送出を行なって、電源側リレー１６０への電源供給を行い、超音波振動子８２やファン６２等による霧化噴霧動作を行うようにすることができる。この場合、センサ側制御部１４２は、タイマー１４３等を使用して、上記と同様に、一定の処理時間間隔ＰＴだけ霧化噴霧動作を継続するようにすることもできる。
【００４２】
［生体非検出時霧化噴霧動作］
ここで、第３の霧化噴霧制御モードでの霧化噴霧動作の一例について詳細に説明する。例えば、第３の霧化噴霧制御モードでの霧化噴霧動作は、図８に示すようにして実行することができる。詳細には、図８のタイミングチャートに示すように、対象空間内に生体が進入又は存在して、人感センサ（ＨＳ）１４１が生体検出を表すセンサオン信号ＤＳを出力している間は、センサ側制御部１４２は、センサオン信号ＤＳを認識する一方で、センサオン信号ＤＳに対応する制御信号（即ち、センサ側リレー１５０駆動用の信号又はセット信号）は出力しない。よって、人感センサ１４１が生体を検出している間は、センサ側リレー１５０がオン動作することはなく、電源側リレー１６０もオフ動作を維持して、電源制御部１１０への電源供給は行われず、上記の霧化噴霧動作が行われることはない。一方、人感センサ１４１からのセンサオン信号の出力がないとき（典型的にには、人感センサ１４１が最後のセンサオン信号を出力し、センサ側制御部１４２が最後のセンサオン信号を認識してから一定の遅延時間Ｄ５だけ経過したときに）、センサ側制御部１４２は、センサ側リレー１５０駆動用のセット信号ＳＳ２からなる制御信号をセンサ側リレー１５０の一次側のコイル１５１に出力する。すると、実施の形態１の場合と同様にして、センサ側リレー１５０のコイル１５１が励磁されて接点１５２がオン動作すると共に、タイマー１４３がオン動作して、センサ側リレー１５０のコイル１５１が、タイマー１４３により予め設定した処理時間間隔ＰＴだけ励磁状態を継続し、これに対応して、接点１５２が、前記処理時間間隔ＰＴだけ閉状態を維持する。これにより、センサ側リレー１５０が、接点１５２を介して、前記処理時間間隔ＰＴだけ、商用電源電圧の電流からなる制御信号を電源側リレー１６０のコイル１６１に継続的及び連続的に出力し、コイル１６１を励磁して、接点１６２をオン動作する。したがって、電源側リレー１６０の接点１６２が、前記処理時間間隔ＰＴだけ、第１の電力線１３１を介して電源スイッチ１１１と電源制御部１１０とを電気的に接続し、商用電源からの第１の電力が、前記処理時間間隔ＰＴだけ、電源スイッチ１１１及び電源側リレー１６０の接点１６２を介して、電源制御部１１０に供給される。その結果、噴霧制御部１２０が、電源制御部１１０からの給電に基づいて、前記処理時間間隔ＰＴだけ、超音波振動子８２及びファン６２を上記の所定の態様で動作し、霧化消毒液を対象空間ＳＶ内に上記の所定の態様で噴霧して均一に拡散する。その後、前記処理時間間隔ＰＴが経過すると、タイマー１４３からリセット信号ＲＳ２が出力されて、センサ側リレー１５０のコイル１５１が消磁し、これにより、接点１５２がオフ動作する。これにより、センサ側リレー１５０の接点１５２から電源側リレー１６０のコイル１６１への制御信号の供給が停止し、コイル１６１が消磁して、接点１６２がオフ動作する。したがって、電源側リレー１６０の接点１６２が、第１の電力線１３１を介した電源スイッチ１１１と電源制御部１１０との間の電気的接続を開放して、商用電源からの第１の電力の電源制御部１１０への供給が停止される。その結果、噴霧制御部１２０による超音波振動子８２及びファン６２の駆動動作も停止し、霧化消毒液の対象空間ＳＶ内への噴霧動作も停止される。このように、本実施の形態の超音波式噴霧型殺菌消臭装置は、人感センサ１４１による生体の非検出を起点として、タイマー１４３により設定した所定の処理時間間隔ＰＴだけ、霧化消毒液を対象空間ＳＶ内に所定濃度かつ所定噴射量（及び所定噴射速度）で噴射して均一に拡散し、所定時間間隔ＰＴ経過後は、直ちに、霧化消毒液の噴射を停止する。
【００４３】
実施の形態３の超音波式噴霧型殺菌消臭装置では、使用者が、操作部９２等を使用して、第１〜第３の霧化噴霧制御モードを選択できると共に、第３の霧化噴霧制御モードを使用して、生体の検出がなされていない間だけ、霧化消毒液を対象空間ＳＶの空気中に散布することができ、商用施設等、不特定多数の人が集まる場所等で、人が集まる前に対象空間ＳＶ内の空気の消毒及び消臭等を予め行うことができ、有効な室内の空気管理を行うことができる。特に、飲食店等の商用施設では、顧客が滞在する室内に霧化消毒液を散布すると、顧客に対して不快感を与える可能性があるが、第３の霧化噴霧制御モードによれば、顧客の存在しない時間帯のみ選択的に霧化消毒液の散布を行い、顧客が来場又は入室したときには、センサ側制御部１４２が人感センサ１４１からのセンサオン信号を認識して、（前記処理時間間隔ＰＴ内であっても）センサ側リレー１５０にリセット信号を出力し、センサ側リレー１５０を駆動停止することで電源側リレー１６０を駆動停止し、霧化噴霧動作のための電源供給を即座に停止することができ、顧客の存在時には対象空間ＳＶ内への霧化消毒液の散布を完全停止することにより、対象空間ＳＶ内の空気管理を円滑かつ確実に行う一方で、顧客に対する（面前での霧化消毒液散布をなくすことで不快感をなくして）満足度を向上することができる。
【００４４】
［その他の別例］
上記各実施の形態を含む本発明の超音波式噴霧型殺菌消臭装置は、更に、超音波振動子８２を有する霧化部材８０と、ファン６２を有する送風部材６０とに供給する駆動用の電力を、（例えば、操作部９２に作用的に連結した）ダイヤル式抵抗を使用することで、使用者が、自由に出力調整するよう構成することもできる。この場合、最低限必要な量及び濃度で霧化消毒液を散布するようにダイヤル式抵抗による出力調整を行うことで、消毒液を大きく節約することができると共に、消費電力も節約することができる。また、上記各実施の形態を含む本発明の超音波式噴霧型殺菌消臭装置は、更に、超音波振動子８２の振動板として、ゴムやシリコン系の材料以外の材料であって、塩素耐性のある素材を使用することが好ましい。こうすると、（ゴムやシリコン系の材料は、次亜塩素酸ナトリウム水溶液等の塩素を含有する消毒液を使用した場合に、塩素で硬化して劣化するが）超音波振動子が、次亜塩素酸ナトリウム水溶液等の塩素を含有する消毒液を使用した場合に、塩素耐性を有して劣化することがない。
【００４５】
また、上記第１及び第２のパワーリレーとしては、有接点リレー（メカニカルリレー）を使用することが、コスト面等の点で有利であり、特に、超音波式噴霧型殺菌消臭装置の低価格化の点からは、有接点リレーを使用することが望ましいが、無接点リレーを使用しても、上記と同様の制御を行うことができ、同様の作用効果を発揮することができる。更に、人感センサとしては、焦電型赤外線センサを利用することが、やはり超音波式噴霧型殺菌消臭装置の低価格化の点から望ましいが、更に、コスト面以外の点でも、上記のように、霧化噴霧動作用の駆動側の電源と、生体検出時の制御用のセンサ側の電源とを分離するという構成との関係では、焦電型赤外線センサからなる人感センサの場合に、特に、上記の電気的障害や外乱の防止効果の点で大きな利点を得ることができる。
【符号の説明】
【００４６】
１０：ベース部材、２０：タンク部材（貯留部材）、３０：導入部材、４０：導出部材
５０：水位センサ、５５：給液インジケーター
６０：送風部材、６２：ファン、７０：噴霧部材、８０：霧化ユニット（霧化部材）
８２：超音波振動子、９０：操作部材、９２：操作部
１１０：電源制御部、１２０：噴霧制御部、１３０：分岐部
１３１：第１の電力線、１３２：第２の電力線
１４０：生体検出制御ユニット（生体検出制御部材）、１４１：人感センサ（ＨＳ）
１４２：センサ側制御部、１４３：タイマー
１５０：センサ側リレー（第１のパワーリレーＲ１）
１５１：コイル（一次側）、１５２：接点（二次側）
１６０：電源側リレー（第２のパワーリレーＲ２）
１６１：コイル（一次側）、１６２：接点（二次側）
【図１】
2016019698.tif 000003
【図２】
2016019698.tif 000004
【図３】
2016019698.tif 000005
【図４】
2016019698.tif 000006
【図５】
2016019698.tif 000007
【図６】
2016019698.tif 000008
【図７】
2016019698.tif 000009
【図８】
2016019698.tif 000010
【図９】
2016019698.tif 000011